(57)【要約】【課題】  構成が簡単で専用部品が不要であって、鏡筒ユニットを大型化することなく、鏡筒構成部品に反射した有害光線によるゴースト、フレアーを防止することができる撮像装置を提供する。【解決手段】  フォーカスモーター（１５）で駆動されるレンズ保持枠（１１）に第２のフランジ部（１１ｆ）を設け、収納状態時、レンズ保持枠（１１）の第２のフランジ部（１１ｆ）を第２の直進筒（２５）の収納部（２５ｄ）に収納させる。【選択図】  図７
2012137594.tif 000002
【特許請求の範囲】
【請求項１】
第１の撮影光学系（４ａ、５ｂ）を有し、第１の駆動手段（６）で光軸方向に進退移動するレンズ鏡筒（２）と、第２の撮影光学系（１２）を有し、第２の駆動手段（１５）で光軸方向に進退移動するレンズ保持枠（１１）を備えた撮像装置において、
前記レンズ保持枠（１１）の外周に前記レンズ鏡筒（２）に反射した有害光線を遮蔽する遮蔽手段（１１ｆ）と、前記第１の撮影光学系（４ａ、５ｂ）を撮影光軸方向に案内する直進部材（２５）に前記レンズ保持枠（１１）の遮蔽手段（１１ｆ）を収納する収納部（２５ｄ）を設けたことを特徴とする撮像装置。
【請求項２】
前記遮蔽手段（１１ｆ）は、前記第２の撮影光学系（１２）より後方に配置されたことを特徴とする請求項１に記載の撮像装置。
【発明の詳細な説明】
【技術分野】
【０００１】
本発明は、鏡筒構成部材に反射した有害光線によるゴースト、フレアー防止することができる撮像装置に関するものである。
【背景技術】
【０００２】
従来、この種の撮像装置として、例えば、特許文献１に開示されたものがある。この撮像装置では、ゴースト、フレアーを防止する２枚の可動遮光板が設けられ、ズーム動作に連動して撮影光軸方向に進退移動する構成になっている。
【先行技術文献】
【特許文献】
【０００３】
【特許文献１】特開平６−２０１９６６号公報
【発明の概要】
【発明が解決しようとする課題】
【０００４】
しかしながら、上記従来の撮像装置には、次のような問題があった。特許文献１に記載の撮像装置においては、ゴースト、フレアーを防止するための専用部品が必要となり部品点数が増える。また、収納状態時、専用部品を収納するスペースが必要となり、鏡筒ユニットが大型化するといった問題が生じた。
【０００５】
そこで、本発明は、構成が簡単で専用部品が不要であって、鏡筒ユニットを大型化することなく、ゴースト、フレアーを防止することができる撮像装置を提供することを目的とする。
【課題を解決するための手段】
【０００６】
上記目的を達成するための本発明に係る撮像装置の構成は、第１の撮影光学系（４ａ、５ｂ）を有し、第１の駆動手段（６）で光軸方向に進退移動するレンズ鏡筒（２）と、第２の撮影光学系（１２）を有し、第２の駆動手段（１５）で光軸方向に進退移動するレンズ保持枠（１１）を備えた撮像装置において、前記レンズ保持枠（１１）の外周に前記レンズ鏡筒（２）に反射した有害光線を遮蔽する遮蔽手段（１１ｆ）と、前記第１の撮影光学系（４ａ、５ｂ）を撮影光軸方向に案内する直進部材（２５）に前記レンズ保持枠（１１）の遮蔽手段（１１ｆ）を収納する収納部（２５ｄ）を設けたことを特徴とする。
【発明の効果】
【０００７】
専用部品が不要で、鏡筒ユニットを大型化することなく、鏡筒構成部材に反射した有害光線によるゴースト、フレアーを防止することができる。
【図面の簡単な説明】
【０００８】
【図１】第１の実施形態における鏡筒ユニットの構成を示す分解斜視図である。
【図２】第１の実施形態におけるフォーカスユニットの構成を示す分解斜視図である。
【図３】第１の実施形態におけるレンズ鏡筒の構成を示す分解斜視図である。
【図４】第１の実施形態におけるレンズ鏡筒の構成を示す分解斜視図である。
【図５】第１の実施形態における鏡筒ユニットの収納状態を示す断面図である。
【図６】第１の実施形態における鏡筒ユニットの広角撮影状態を示す断面図である。
【図７】第１の実施形態におけるゴースト、フレアー防止状態示す鏡筒ユニットの望遠断面図である。
【発明を実施するための形態】
【０００９】
＜第１の実施形態＞
以下、図１から図７を参照して、本発明の実施形態について詳細に説明する。まず、図１を用いて鏡筒ユニットの構成について説明する。
【００１０】
１はフォーカスユニット、２はレンズ鏡筒、３はズームユニット、４は２群ユニット、５は１群ユニット、６はズーム減速ギアユニット、７は撮像素子ユニットである。２群ユニット４は、少なくとも撮影光学系４ａとシャッターで構成されている。１群ユニットは、撮影光学系５ｂ（図５参照）とバリア５ａで構成されている。ズーム減速ギアユニット６はズームモーター６ａと減速ギア６ｂで構成され、ズームユニット３を駆動する。
【００１１】
次に、図２を用いてフォーカスユニットの構成について説明する。
【００１２】
１０はレンズ鏡筒２とズーム減速ギアユニット６とＣＣＤユニット７を支持する支持地板で、中央部に被写体光線の入射光量を決定し、かつ有害光線をカットする開口部１０ａが形成されている。
【００１３】
１１はレンズ保持枠で、中央に開口部１１ａを有する第１のフランジ部１１ｂが形成されており、撮影光学系１２が保持されている。第１のフランジ部１１ｂの外周には撮影光軸方向に沿って結像面側に延び、更に円周方向に延びる腕部１１ｃと、撮影光軸方向に沿って結像面側に延び、更に円周方向に延びる第２のフランジ部１１ｆが形成されている。腕部１１ｃの先端には、孔１１ｄを有するスリーブ１１ｅが形成されている。第２のフランジ部１１ｆは、撮影光学系１２より後方（結像面側）に延び、腕部１１ｃ以外の部分に形成され、第１のフランジ部１１ｂと腕部１１ｃとの間に配置されている。この第２のフランジ部１１ｆは、撮影光学系を通過した光線が鏡筒構成部材に反射した有害光線を遮蔽して、撮像素子ユニット７への進入を防止する（図７参照）。レンズ保持枠１１は、スリーブ１１ｅの孔１１ｄを貫通するガイド軸１３と、第１のフランジ部１１ｂに形成された孔１１ｇを貫通する支持地板１０の回転規制軸１０ｂにより支持され、撮影光軸方向に進退移動する。ガイド軸１３は、支持地板１０の孔１０ｃ、１０ｄに挿入することで支持される。
【００１４】
１４はスプリングで、一方が支持地板１０のフック（不図示）他方がレンズ支持枠１１のフック１１ｈに掛けられ、レンズ保持枠１１を繰り出す方向に付勢している。
【００１５】
１５はフォーカスモーターで、ビス１７により支持地板１１に固定されている。フォーカスモーター１５には、スクリューネジ１５ａが設けられており、ナット１６が螺合している。
【００１６】
次に、フォーカスユニットの動作について説明する。
【００１７】
フォーカスモーター１５に通電されるとスクリューネジ１５ａが回転する。この回転により、ナット１６はスクリューネジ１５ａのリードに沿って光軸方向に進退移動する。ナット１６が繰出し方向に移動すると、レンズ保持枠１１はスプリング１４のスプリング力によりナット１６に追従して光軸方向に繰出し動作を行う。また、ナット１６が繰込み方向に移動すると、レンズ保持枠１１はナット１６に押されスプリング１４をチャージしながら光軸方向に繰込み動作を行う。
【００１８】
次に、図３から図５を用いてレンズ鏡筒の構成について説明する。
【００１９】
２０は固定筒で、３個の固定爪２０ａ、２０ｂ、２０ｃと２個のフック２０ｄ、２０ｅが、支持地板１０の３本のフック１０ｅ、１０ｆ、１０ｇと２個の固定爪１０ｈ、１０ｉにそれぞれ係合されることで、支持地板１０に支持される。この固定筒２０の内周には、３本のカム溝２０ｆと３本の直進溝２０ｇが形成されている。
【００２０】
２１は回転筒で、外周に形成された３本のカムフォロワー２１ａが固定筒２０の３本のカム溝２０ｆに嵌合することで固定筒２０に回転可能に支持される。回転筒２１は、固定筒２０の３本のカム溝２０ｆのカムリフトに沿って回転しながら撮影光軸方向に進退移動する。回転筒２１の外周には、ギア２０ｂが形成されており、ズーム減速ギアユニット６の回転力が伝達される。また内周には、３本の駆動溝２１ｃが形成されている。
【００２１】
２２は第１の直進筒で、回転筒２１に支持されており、回転筒２１と一体で撮影光軸方向に進退移動する。第１の直進筒２２の外周には、３本の突起部２２ａが形成されており、固定筒２０の３本の直進溝２０ｇに摺動可能に嵌合している。この嵌合により、第１の直進筒２２の回転が規制される。また内周には、３本のカム溝２２ｂと、カム溝２２ｂと同カムリフトを持つ貫通カム溝２２ｃと、６本の直進溝２２ｄが形成されている。
【００２２】
２３はカム筒で、外周に形成された３本のカムフォロワー２３ａが第１の直進筒２２の３本のカム溝２２ｂに嵌合することで第１の直進筒２２に回転可能に支持される。カム筒２３は、第１の直進筒２２の３本のカム溝２２ｂのリフトに沿って回転しながら撮影光軸方向に進退移動する。また、外周に形成された３本の駆動軸２３ｂは、第１の直進筒２２の３本の貫通カム溝２２ｃを貫通し、回転筒２１の３本の駆動溝２１ｃに摺動可能に嵌合している。この嵌合により、回転筒２１の回転力がカム筒２３に伝達される。カム筒２３の内周には、３本の１群カム溝２３ｃと３本の２群カム溝２３ｄが形成されている。
【００２３】
２４は１群ユニット５を支持する１群筒で、外周に形成された３本のカムフォロワー２４ａがカム筒２３の３本のカム溝２３ｃに嵌合することでカム筒２３に支持される。この支持により、１群筒２４（１群ユニット５）は３本のカム溝２３ｃのカムリフトに沿って撮影光軸方向に進退移動する。１群筒２４の内周には、３本の突起部２４ｂが形成されており、第２の直進筒２５の３本の直進溝２５ｂに摺動可能に嵌合している。この嵌合により、１群筒２４（１群ユニット５）の回転が規制される。
【００２４】
２５は第２の直進筒で、カム筒２３に支持されており、カム筒２３と一体で撮影光軸方向に進退移動する。第２の直進筒２５の外周には、６本の突起部２５ａと３本の直進溝２５ｂと３本の貫通直進溝２５ｃが形成されている。６本の突起部２５ａは、第１の直進筒２２の６本の直進溝２２ｄに摺動可能に嵌合している。この嵌合により、第２の直進筒２５の回転が規制される。また、３本の直進溝２５ｂは、１群筒２４の３本の突起部２４ｂに摺動可能に嵌合している。この嵌合により、１群筒２４の回転が規制される。また、内周には、収納部２５ｄが形成されており、図５に示すように鏡筒ユニットが収納状態で、レンズ保持枠１２の第２のフランジ部１２ｆを収納する。
【００２５】
２６は２群ユニット４を支持する２群地板で、外周に形成された３本のカムフォロワー２６ａが第２の直進筒２５の３本の貫通直進溝２５ｃを貫通し、カム筒２３の３本のカム溝２３ｄに嵌合することでカム筒２３に支持される。この支持により、２群地板２６（２群ユニット４）は３本のカム溝２３ｄのカムリフトに沿って撮影光軸方向に進退移動する。この時、３本のカムフォロワー２６ａと第２の直進筒２５の３本の貫通直進溝２５ｃの嵌合により、２群地板２６（２群ユニット４）の回転が規制される。
【００２６】
次に、図５から図６を用いて鏡筒ユニットの動作について説明する。
【００２７】
鏡筒ユニットを図６に示す撮影状態に動作させる場合、図５に示す状態から不図示のメインＳＷがＯＮするとズームモーター６ａが回転し、減速ギア６ｂに伝達される。減速ギア６ｂの回転力は回転筒２１のギア２０ｂに伝達される。この伝達により回転筒２１は固定筒２０のカム溝２０ｆのカムリフトに沿って回転しながら撮影光軸方向に移動する。この時、回転筒２１と一体で撮影光軸方向に移動する第１の直進筒２２は、３本の突起部２２ａと固定筒２０の３本の直進溝２０ｇの嵌合により回転が規制され、回転しないで撮影光軸方向に移動する。回転筒２１の回転力は、３本の駆動溝２１ｃを介してカム筒２３の３本の駆動軸２３ｂに伝達される。この伝達により、カム筒２３は第１の直進筒２２のカム溝２２ｂのカムリフトに沿って回転しながら撮影光軸方向に移動する。この時、カム筒２３と一体で撮影光軸方向に移動する第２の直進筒２５は、６本の突起部２５ａと第１の直進筒２２の６本の直進溝２２ｄの嵌合により回転が規制され、回転しないで撮影光軸方向に移動する。カム筒２３の回転により、１群筒２４（１群ユニット５）はカム筒２３の３本のカム溝２３ｃのカムリフトに沿って撮影光軸方向に移動する。この時、３本の突起部２４ｂと第２の直進筒２５の３本の直進溝２５ｂの嵌合により、１群筒２４（１群ユニット５）の回転が規制され回転しないで撮影光軸方向に移動する。また、２群地板２６（２群ユニット４）はカム筒２３の３本のカム溝２３ｄのカムリフトに沿って撮影光軸方向に移動する。この時、３本のカムフォロワー２６ａと第２の直進筒２５の３本の貫通直進溝２５ｃの嵌合により、２群地板２６（２群ユニット４）の回転が規制され回転しないで撮影光軸方向に移動する。更にフォーカスモーター１５により、レンズ保持枠１１が撮影光軸方向に移動し、図６に示す状態となる。
【００２８】
鏡筒ユニットを図５に示す収納状態に動作させる場合、図６に示す状態から不図示のメインＳＷがＯＦＦするとフォーカスモーター１５のスクリューネジ１５ａが回転する。この回転により、ナット１６がスクリューネジ１５ａのリードに沿ってレンズ保持枠１１を押しながら繰込み方向（撮像素子ユニット７）に移動する。レンズ保持枠１１が移動終了後にズームモーター６ａが回転する。（レンズ鏡筒の動作については、上記撮影状態の動作と同様のため説明は省略する。）収納状態において、図５に示すように第２の直進筒２５の収納部２５ｄはレンズ保持枠１１の第２のフランジ部１１ｆを収納する。
【００２９】
次に、図７を用いてゴースト、フレアーの防止について説明する。
【００３０】
１群ユニット５の撮影光学系５ｂ及び２群ユニット４の撮影光学系４ａを通過した光線Ｘ（実線で示す）が第１の直進筒２２の内周面に到達する。到達した光線Ｘは、第１の直進筒２２の内周面に反射して有害光線Ｙ（破線で示す）として撮像素子ユニット７に向かって進入するがレンズ保持枠１１の第２のフランジ部１１ｆにより遮蔽される。この遮蔽により、撮像素子ユニット７に向かって進入する有害光線Ｙ‘（一点鎖線で示す）をカットすることができ、ゴースト、フレアーを防止することができる。
【００３１】
上記説明したように、フォーカスモーター１５で駆動されるレンズ保持枠１１に第２のフランジ部１１ｆを設けることで、専用部品を設けることなく鏡筒構成部材に反射した有害光線Ｙによるゴースト、フレアーを防止することができる。
【００３２】
また収納状態時、レンズ保持枠１１の第２のフランジ部１１ｆをレンズ保持枠１１の近接に位置する第２の直進筒２５の収納部２５ｄに収納させることで、鏡筒ユニットの大型化を防止することができる。
【符号の説明】
【００３３】
２  レンズ鏡筒
４  ２群ユニット
５  １群ユニット
４ａ、５ｂ、１２  第１の撮影光学系
６  ズーム減速ギアユニット（第１の駆動手段）
７  撮像素子ユニット
１１  レンズ保持枠
１１ｂ  第１のフランジ部（レンズ保持部）
１１ｃ  腕部
１１ｆ  第２のフランジ部（遮蔽手段）
１２  第２の撮影光学系
１５  フォーカスモーター（第２の駆動手段）
２２  第１の直進筒
２５  第２の直進筒（直進部材）
２５ｄ  収納部
Ｘ  光線
Ｙ、Ｙ‘  有害光線
【図１】
2012137594.tif 000003
【図２】
2012137594.tif 000004
【図３】
2012137594.tif 000005
【図４】
2012137594.tif 000006
【図５】
2012137594.tif 000007
【図６】
2012137594.tif 000008
【図７】
2012137594.tif 000009